(57)【要約】【課題】誘電体多層膜からなる光学フィルタを備えるプロジェクタにおいて、光学フィルタのフィルタ特性が低下するのを抑制することが可能なプロジェクタを提供する。【解決手段】照明光束を射出する光源装置１１０、光源装置１１０からの照明光束を複数の部分光束に分割する複数の第１小レンズ１２２を有する第１レンズアレイ１２０、第２小レンズ１３２を有する第２レンズアレイ１３０及び第２レンズアレイ１３０からのそれぞれの光を被照明領域で重畳させる重畳レンズ１５０を有する照明装置１００と、照明装置１００からの光を画像情報に応じて変調する液晶装置４００Ｒ，４００Ｇ，４００Ｂと、液晶装置４００Ｒ，４００Ｇ，４００Ｂにより変調された光を投写する投写光学系６００とを備えるプロジェクタ１０００。第２レンズアレイ１３０と重畳レンズ１５０との間には、誘電体多層膜からなるＵＶカットフィルタ１６０が配置されている。【選択図】図１
2008139388.tif 000002
【特許請求の範囲】
【請求項１】
照明光束を射出する光源装置、前記光源装置からの前記照明光束を複数の部分光束に分割する複数の第１小レンズを有する第１レンズアレイ、前記第１レンズアレイの各第１小レンズに対応する第２小レンズを有する第２レンズアレイ及び前記第２レンズアレイからのそれぞれの光を被照明領域で重畳させる重畳レンズを有する照明装置と、
前記照明装置からの光を画像情報に応じて変調する電気光学変調装置と、
前記電気光学変調装置により変調された光を投写する投写光学系とを備え、
前記第２レンズアレイと前記重畳レンズとの間には、誘電体多層膜からなる光学フィルタが配置されていることを特徴とするプロジェクタ。
【請求項２】
請求項1に記載のプロジェクタにおいて、
前記照明装置は、前記第２レンズアレイと前記重畳レンズとの間に配置され、前記第２レンズアレイからのそれぞれの部分光束を略１種類の直線偏光成分を有する光に変換する偏光変換素子をさらに有し、
前記光学フィルタは、前記第２レンズアレイと前記偏光変換素子との間に配置されていることを特徴とするプロジェクタ。
【請求項３】
請求項１又は２に記載のプロジェクタにおいて、
前記第２レンズアレイの光射出面は平面からなり、
前記光学フィルタは、前記第２レンズアレイの光射出面に形成されていることを特徴とするプロジェクタ。
【請求項４】
請求項２に記載のプロジェクタおいて、
前記光学フィルタは、前記偏光変換素子の光入射面に形成されていることを特徴とするプロジェクタ。
【請求項５】
請求項１又は２に記載のプロジェクタにおいて、
前記照明装置は、光を透過する基板をさらに有し、
前記光学フィルタは、前記基板の表面に形成されていることを特徴とするプロジェクタ。
【請求項６】
請求項１〜５のいずれかに記載のプロジェクタにおいて、
前記光学フィルタは、ＵＶカットフィルタ、ＩＲカットフィルタ、ＮＤフィルタ又は色補正フィルタであることを特徴とするプロジェクタ。
【発明の詳細な説明】
【技術分野】
【０００１】
本発明は、プロジェクタに関する。
【背景技術】
【０００２】
従来、液晶装置の光入射側に誘電体多層膜からなるＵＶカットフィルタが配置されたプロジェクタが知られている（例えば、特許文献１参照。）。従来のプロジェクタによれば、紫外線を遮断するＵＶカットフィルタを備えているため、液晶装置に入射する光について不要な紫外線を除去することができ、紫外線によって有機材料からなる光学素子（液晶や偏光板等）が劣化するのを抑制することが可能となる。
【０００３】
【特許文献１】特開２００４−８５８７６号公報
【発明の開示】
【発明が解決しようとする課題】
【０００４】
ところで、誘電体多層膜からなるＵＶカットフィルタは角度依存性を有するが、従来のプロジェクタにおいては、照明装置から射出されて液晶装置に入射する光の入射角は比較的大きなものであるため、本来はＵＶカットフィルタで除去すべき光を除去できなかったり、本来はＵＶカットフィルタで除去しなくてもよい光を除去してしまったりする場合がある。本来はＵＶカットフィルタで除去すべき光（紫外線）を除去できなかった場合には、ＵＶカットフィルタを通過した紫外線によって有機材料からなる光学素子（液晶や偏光板等）が劣化してしまう。また、本来はＵＶカットフィルタで除去しなくてもよい光（可視光）を除去してしまった場合には、光利用効率が低下してしまう。
【０００５】
すなわち、従来のプロジェクタにおいては、（１）誘電体多層膜からなるＵＶカットフィルタが角度依存性を有すること及び（２）光の入射角が比較的大きな位置に当該ＵＶカットフィルタが配置されていることに起因して、ＵＶカットフィルタのフィルタ特性が低下するという問題がある。
【０００６】
なお、上記した問題は、角度依存性を有する光学フィルタに共通して起こりうる問題であることから、誘電体多層膜からなるＵＶカットフィルタにのみ生じる問題ではなく、誘電体多層膜からなる他の光学フィルタにおいても生じる問題である。
【０００７】
そこで、本発明は、このような問題を解決するためになされたもので、誘電体多層膜からなる光学フィルタを備えるプロジェクタにおいて、光学フィルタのフィルタ特性が低下するのを抑制することが可能なプロジェクタを提供することを目的とする。
【課題を解決するための手段】
【０００８】
本発明の発明者は、上記目的を達成するために鋭意研究を重ねたところ、第２レンズアレイから重畳レンズに向けて射出される光の入射角は比較的小さなものであるという知見を得た。本発明の発明者は、以上の知見に基づいて、第２レンズアレイと重畳レンズとの間に誘電体多層膜からなる光学フィルタを配置すれば、光学フィルタのフィルタ特性が低下するのを抑制することが可能となることに想到し、本発明を完成させるに至った。
【０００９】
本発明のプロジェクタは、照明光束を射出する光源装置、前記光源装置からの前記照明光束を複数の部分光束に分割する複数の第１小レンズを有する第１レンズアレイ、前記第１レンズアレイの各第１小レンズに対応する第２小レンズを有する第２レンズアレイ及び前記第２レンズアレイからのそれぞれの光を被照明領域で重畳させる重畳レンズを有する照明装置と、前記照明装置からの光を画像情報に応じて変調する電気光学変調装置と、前記電気光学変調装置により変調された光を投写する投写光学系とを備え、前記第２レンズアレイと前記重畳レンズとの間には、誘電体多層膜からなる光学フィルタが配置されていることを特徴とする。
【００１０】
このため、本発明のプロジェクタによれば、第２レンズアレイと前記重畳レンズとの間の所定位置、すなわち、光の入射角が比較的小さくなる位置に誘電体多層膜からなる光学フィルタが配置されているため、光学フィルタのフィルタ特性が低下するのを抑制することが可能となる。
【００１１】
本発明のプロジェクタにおいては、前記照明装置は、前記第２レンズアレイと前記重畳レンズとの間に配置され、前記第２レンズアレイからのそれぞれの部分光束を略１種類の直線偏光成分を有する光に変換する偏光変換素子をさらに有し、前記光学フィルタは、前記第２レンズアレイと前記偏光変換素子との間に配置されていることが好ましい。
【００１２】
このように構成することにより、偏光変換素子の機能によって、照明装置から射出される照明光束を略１種類の直線偏光成分を有する光に揃えることが可能となる。
また、光学フィルタがＵＶカットフィルタである場合には、上記のように構成することにより、偏光変換素子に入射する光について不要な紫外線を除去することができ、紫外線による偏光変換素子の劣化を抑制することが可能となる。また、光学フィルタがＩＲカットフィルタである場合には、上記のように構成することにより、偏光変換素子に入射する光について不要な赤外線を除去することができ、赤外線による偏光変換素子の温度上昇を抑制することが可能となる。
【００１３】
本発明のプロジェクタにおいては、前記第２レンズアレイの光射出面は平面からなり、前記光学フィルタは、前記第２レンズアレイの光射出面に形成されていることが好ましい。
【００１４】
このように構成することにより、第２レンズアレイと光学フィルタとの間における望ましくない多重反射が抑制され、光利用効率が低下したり迷光レベルが上昇したりすることがなくなる。また、第２レンズアレイと光学フィルタとを容易に一体化することができる。また、第２レンズアレイと光学フィルタとの間において、装置組み立て後における位置ずれの発生を未然に防止することができる。
【００１５】
本発明のプロジェクタおいては、前記光学フィルタは、前記偏光変換素子の光入射面に形成されていることが好ましい。
【００１６】
このように構成することにより、光学フィルタと偏光変換素子との間における望ましくない多重反射が抑制され、光利用効率が低下したり迷光レベルが上昇したりすることがなくなる。また、光学フィルタと偏光変換素子とを容易に一体化することができる。また、光学フィルタと偏光変換素子との間において、装置組み立て後における位置ずれの発生を未然に防止することができる。
【００１７】
本発明のプロジェクタにおいては、前記照明装置は、光を透過する基板をさらに有し、前記光学フィルタは、前記基板の表面に形成されていることが好ましい。
【００１８】
偏光変換素子や第２レンズアレイの表面に光学フィルタを形成する場合には、誘電体多層膜を積層する際に仮に失敗すると、比較的高価な部品である偏光変換素子や第２レンズアレイの不良とされるため、プロジェクタの製造コストの低廉化を図ることが容易ではなくなる。
これに対し、本発明のプロジェクタによれば、基板の表面に光学フィルタを形成するため、誘電体多層膜を積層する際に仮に失敗したとしても、比較的安価な部品である基板の不良とされるだけであり、結果として、プロジェクタの製造コストの低廉化を図ることが容易となる。
【００１９】
本発明のプロジェクタにおいては、前記光学フィルタは、ＵＶカットフィルタ、ＩＲカットフィルタ、ＮＤフィルタ又は色補正フィルタであることが好ましい。
【００２０】
ＵＶカットフィルタを備えるプロジェクタにおいては、上記のように構成することにより、ＵＶカットフィルタのフィルタ特性が低下するのを抑制することが可能となるため、フィルタ特性の低下に起因した光学素子の劣化及び光利用効率の低下を抑制することが可能となる。
【００２１】
ＩＲカットフィルタを備えるプロジェクタにおいては、上記のように構成することにより、ＩＲカットフィルタのフィルタ特性が低下するのを抑制することが可能となるため、フィルタ特性の低下に起因した光学素子の温度上昇及び光利用効率の低下を抑制することが可能となる。
【００２２】
ＮＤフィルタを備えるプロジェクタにおいては、上記のように構成することにより、ＮＤフィルタのフィルタ特性が低下するのを抑制することが可能となるため、フィルタ特性の低下に起因して精度良く光量調整ができなくなってしまうのを抑制することが可能となる。
【００２３】
色補正フィルタを備えるプロジェクタにおいては、上記のように構成することにより、色補正フィルタのフィルタ特性が低下するのを抑制することが可能となるため、フィルタ特性の低下に起因した色再現性の低下を抑制することが可能となる。
【発明を実施するための最良の形態】
【００２４】
以下、本発明のプロジェクタについて、図に示す実施の形態に基づいて説明する。
【００２５】
［実施形態１］
図１は、実施形態１に係るプロジェクタ１０００の光学系を示す図である。
【００２６】
なお、以下の説明においては、互いに直交する３つの方向をそれぞれｚ軸方向（図１における照明光軸１００ａｘ方向）、ｘ軸方向（図１における紙面に平行かつｚ軸に直交する方向）及びｙ軸方向（図１における紙面に垂直かつｚ軸に直交する方向）とする。
【００２７】
実施形態１に係るプロジェクタ１０００は、図１に示すように、照明装置１００と、照明装置１００からの照明光束を赤色光、緑色光及び青色光の３つの色光に分離して被照明領域に導光する色分離導光光学系２００と、色分離導光光学系２００で分離された３つの色光のそれぞれを画像情報に応じて変調する３つの液晶装置４００Ｒ，４００Ｇ，４００Ｂと、３つの液晶装置４００Ｒ，４００Ｇ，４００Ｂによって変調された色光を合成するクロスダイクロイックプリズム５００と、クロスダイクロイックプリズム５００によって合成された光をスクリーンＳＣＲ等の投写面に投写する投写光学系６００とを備えたプロジェクタである。
【００２８】
照明装置１００は、被照明領域側に照明光束を射出する光源装置１１０と、光源装置１１０から射出される照明光束を複数の部分光束に分割するための複数の第１小レンズ１２２を有する第１レンズアレイ１２０と、第１レンズアレイ１２０の複数の第１小レンズ１２２に対応する複数の第２小レンズ１３２を有する第２レンズアレイ１３０と、第２レンズアレイ１３０からの各部分光束を偏光方向の揃った略１種類の直線偏光光に変換して射出する偏光変換素子１４０と、偏光変換素子１４０から射出される各部分光束を被照明領域で重畳させるための重畳レンズ１５０とを有する。
【００２９】
光源装置１１０は、楕円面リフレクタ１１４と、楕円面リフレクタ１１４の第１焦点近傍に発光中心を有する発光管１１２と、発光管１１２から被照明領域側に向けて射出される光を発光管１１２に向けて反射する副鏡１１６と、楕円面リフレクタ１１４からの集束光を略平行光として射出する凹レンズ１１８とを有する。光源装置１１０は、照明光軸１００ａｘを中心軸とする光束を射出する。
【００３０】
発光管１１２は、管球部と、管球部の両側に延びる一対の封止部とを有する。管球部は、球状に形成された石英ガラス製であって、この管球部内に配置された一対の電極と、管球部内に封入された水銀、希ガス及び少量のハロゲンとを有する。発光管１１２としては、種々の発光管を採用でき、例えば、メタルハライドランプ、高圧水銀ランプ、超高圧水銀ランプ等を採用できる。
【００３１】
楕円面リフレクタ１１４は、発光管１１２の一方の封止部に挿通・固着される筒状の首状部と、発光管１１２から放射された光を第２焦点位置に向けて反射する反射凹面とを有する。
【００３２】
副鏡１１６は、発光管１１２の管球部の略半分を覆い、楕円面リフレクタ１１４の反射凹面と対向して配置される反射手段である。副鏡１１６は、発光管１１２の他方の封止部に挿通・固着されている。副鏡１１６は、発光管１１２から放射された光のうち楕円面リフレクタ１１４に向かわない光を発光管１１２に戻し楕円面リフレクタ１１４に入射させる。
【００３３】
凹レンズ１１８は、楕円面リフレクタ１１４の被照明領域側に配置されている。そして、楕円面リフレクタ１１４からの光を第１レンズアレイ１２０に向けて射出するように構成されている。
【００３４】
第１レンズアレイ１２０は、凹レンズ１１８からの光を複数の部分光束に分割する光束分割光学素子としての機能を有し、複数の第１小レンズ１２２が照明光軸１００ａｘと直交する面内に複数行・複数列のマトリクス状に配列された構成を有する。図示による説明は省略するが、第１小レンズ１２２の外形形状は、液晶装置４００Ｒ，４００Ｇ，４００Ｂの画像形成領域の外形形状に関して相似形である。
【００３５】
第２レンズアレイ１３０は、重畳レンズ１５０とともに、第１レンズアレイ１２０の各第１小レンズ１２２の像を液晶装置４００Ｒ，４００Ｇ，４００Ｂの画像形成領域近傍に結像させる機能を有する。第２レンズアレイ１３０は、第１レンズアレイ１２０と略同様な構成を有し、複数の第２小レンズ１３２が照明光軸１００ａｘに直交する面内に複数行・複数列のマトリクス状に配列された構成を有する。第２レンズアレイ１３０の光射出面は平面からなる。
【００３６】
偏光変換素子１４０は、第１レンズアレイ１２０により分割された各部分光束の偏光方向を、偏光方向の揃った略１種類の直線偏光光として射出する偏光変換素子である。
偏光変換素子１４０は、光源装置１１０からの照明光束のうち一方の偏光成分（例えばＰ偏光成分）を有する光を透過し他方の偏光成分（例えばＳ偏光成分）を有する光を照明光軸１００ａｘに垂直な方向に反射する偏光分離層と、偏光分離層で反射された他方の偏光成分を有する光を照明光軸１００ａｘに平行な方向に反射する反射層と、偏光分離層を透過した一方の偏光成分を有する光を他方の偏光成分を有する光に変換する位相差板とを有する。
【００３７】
偏光変換素子１４０の光入射面には、誘電体多層膜からなる光学フィルタとしてのＵＶカットフィルタ１６０が形成されている。
偏光変換素子１４０の表面に誘電体多層膜からなるＵＶカットフィルタ１６０を形成するための手段としては、例えば、蒸着法、イオンプレーティング法、スパッタリング法、ＣＶＤ法などの公知の手段を用いることができる。
【００３８】
重畳レンズ１５０は、第１レンズアレイ１２０、第２レンズアレイ１３０及び偏光変換素子１４０を経た複数の部分光束を集光して液晶装置４００Ｒ，４００Ｇ，４００Ｂの画像形成領域近傍に重畳させるための光学素子である。重畳レンズ１５０の光軸と照明装置１００の照明光軸１００ａｘとが略一致するように、重畳レンズ１５０が配置されている。なお、重畳レンズ１５０は、複数のレンズを組み合わせた複合レンズで構成されていてもよい。
【００３９】
色分離導光光学系２００は、ダイクロイックミラー２１０，２２０と、反射ミラー２３０，２４０，２５０と、入射側レンズ２６０と、リレーレンズ２７０とを有する。色分離導光光学系２００は、重畳レンズ１５０から射出される照明光束を、赤色光、緑色光及び青色光の３つの色光に分離して、それぞれの色光を照明対象となる３つの液晶装置４００Ｒ，４００Ｇ，４００Ｂに導く機能を有する。
【００４０】
液晶装置４００Ｒ，４００Ｇ，４００Ｂは、画像情報に応じて照明光束を変調するものであり、照明装置１００の照明対象となる。
液晶装置４００Ｒ，４００Ｇ，４００Ｂは、一対の透明なガラス基板に電気光学物質である液晶を密閉封入したものであり、例えば、ポリシリコンＴＦＴをスイッチング素子として、与えられた画像情報に従って、後述する入射側偏光板から射出された１種類の直線偏光の偏光方向を変調する。
【００４１】
液晶装置４００Ｒ，４００Ｇ，４００Ｂの光路前段には、集光レンズ３００Ｒ，３００Ｇ，３００Ｂが配置されている。
【００４２】
また、ここでは図示を省略したが、集光レンズ３００Ｒ，３００Ｇ，３００Ｂと各液晶装置４００Ｒ，４００Ｇ，４００Ｂとの間には、それぞれ入射側偏光板が介在配置され、各液晶装置４００Ｒ，４００Ｇ，４００Ｂとクロスダイクロイックプリズム５００との間には、それぞれ射出側偏光板が介在配置されている。これら入射側偏光板、液晶装置４００Ｒ，４００Ｇ，４００Ｂ及び射出側偏光板によって入射する各色光の光変調が行われる。
【００４３】
クロスダイクロイックプリズム５００は、射出側偏光板から射出された各色光毎に変調された光学像を合成してカラー画像を形成する光学素子である。このクロスダイクロイックプリズム５００は、４つの直角プリズムを貼り合わせた平面視略正方形状をなし、直角プリズム同士を貼り合わせた略Ｘ字状の界面には、誘電体多層膜が形成されている。略Ｘ字状の一方の界面に形成された誘電体多層膜は、赤色光を反射するものであり、他方の界面に形成された誘電体多層膜は、青色光を反射するものである。これらの誘電体多層膜によって赤色光及び青色光は曲折され、緑色光の進行方向と揃えられることにより、３つの色光が合成される。
【００４４】
クロスダイクロイックプリズム５００から射出されたカラー画像は、投写光学系６００によって拡大投写され、スクリーンＳＣＲ上で大画面画像を形成する。
【００４５】
以上のように構成された実施形態１に係るプロジェクタ１０００によれば、第２レンズアレイ１３０と重畳レンズ１５０との間の所定位置、すなわち、光の入射角が比較的小さくなる位置に誘電体多層膜からなるＵＶカットフィルタ１６０が配置されているため、ＵＶカットフィルタ１６０のフィルタ特性が低下するのを抑制することが可能となる。
【００４６】
実施形態１に係るプロジェクタ１０００においては、照明装置１００は、上記した偏光変換素子を有するため、偏光変換素子１４０の機能によって、照明装置１００（重畳レンズ１５０）から射出される照明光束を略１種類の直線偏光成分を有する光に揃えることが可能となる。また、ＵＶカットフィルタ１６０は、第２レンズアレイ１３０と偏光変換素子１４０との間に配置されているため、偏光変換素子１４０に入射する光について不要な紫外線を除去することができ、紫外線による偏光変換素子１４０の劣化を抑制することが可能となる。
【００４７】
実施形態１に係るプロジェクタ１０００においては、ＵＶカットフィルタ１６０は、偏光変換素子１４０の光入射面に形成されているため、ＵＶカットフィルタ１６０と偏光変換素子１４０との間における望ましくない多重反射が抑制され、光利用効率が低下したり迷光レベルが上昇したりすることがなくなる。また、ＵＶカットフィルタ１６０と偏光変換素子１４０とを容易に一体化することができる。また、ＵＶカットフィルタ１６０と偏光変換素子１４０との間において、装置組み立て後における位置ずれの発生を未然に防止することができる。
【００４８】
実施形態１に係るプロジェクタ１０００においては、光学フィルタとして、ＵＶカットフィルタ１６０を備えているため、フィルタ特性の低下に起因した光学素子（液晶装置４００Ｒ，４００Ｇ，４００Ｂにおける液晶や入射側偏光板及び射出側偏光板などの有機材料からなる光学素子。）の劣化及び光利用効率の低下を抑制することが可能となる。
【００４９】
［実施形態２］
図２は、実施形態２に係るプロジェクタ１００２の要部を示す図である。なお、図２において、図１と同一の部材については同一の符号を付し、詳細な説明は省略する。
【００５０】
実施形態２に係るプロジェクタ１００２は、基本的には実施形態１に係るプロジェクタ１０００とよく似た構成を有するが、ＵＶカットフィルタの位置が、実施形態１に係るプロジェクタ１０００とは異なる。
【００５１】
すなわち、実施形態２に係るプロジェクタ１００２においては、図２に示すように、ＵＶカットフィルタ１６２は、第２レンズアレイ１３０の光射出面に形成されている。
【００５２】
このように、実施形態２に係るプロジェクタ１００２は、実施形態１に係るプロジェクタ１０００とは、ＵＶカットフィルタの位置が異なるが、実施形態１に係るプロジェクタ１０００の場合と同様に、第２レンズアレイ１３０と重畳レンズ１５０との間の所定位置、すなわち、光の入射角が比較的小さくなる位置に誘電体多層膜からなるＵＶカットフィルタ１６２が配置されているため、ＵＶカットフィルタ１６２のフィルタ特性が低下するのを抑制することが可能となる。
【００５３】
実施形態２に係るプロジェクタ１００２においては、第２レンズアレイ１３０の光射出面は平面からなり、ＵＶカットフィルタ１６２は、第２レンズアレイ１３０の光射出面に形成されているため、第２レンズアレイ１３０とＵＶカットフィルタ１６２との間における望ましくない多重反射が抑制され、光利用効率が低下したり迷光レベルが上昇したりすることがなくなる。また、第２レンズアレイ１３０とＵＶカットフィルタ１６２とを容易に一体化することができる。また、第２レンズアレイ１３０とＵＶカットフィルタ１６２との間において、装置組み立て後における位置ずれの発生を未然に防止することができる。
【００５４】
実施形態２に係るプロジェクタ１００２は、ＵＶカットフィルタの位置が異なる点以外の点では、実施形態１に係るプロジェクタ１０００と同様の構成を有するため、実施形態１に係るプロジェクタ１０００が有する効果のうち該当する効果をそのまま有する。
【００５５】
［実施形態３］
図３は、実施形態３に係るプロジェクタ１００４の要部を示す図である。なお、図３において、図１と同一の部材については同一の符号を付し、詳細な説明は省略する。
【００５６】
実施形態３に係るプロジェクタ１００４は、基本的には実施形態１に係るプロジェクタ１０００とよく似た構成を有するが、ＵＶカットフィルタの位置が、実施形態１に係るプロジェクタ１０００とは異なる。
【００５７】
すなわち、実施形態３に係るプロジェクタ１００４においては、図３に示すように、ＵＶカットフィルタ１６４は、第２レンズアレイ１３０と偏光変換素子１４０との間に配置された基板１７０の光入射面に形成されている。基板１７０は、光を透過する材料からなり、例えば石英ガラスを好適に用いることができる。
【００５８】
このように、実施形態３に係るプロジェクタ１００４は、実施形態１に係るプロジェクタ１０００とは、ＵＶカットフィルタの位置が異なるが、実施形態１に係るプロジェクタ１０００の場合と同様に、第２レンズアレイ１３０と重畳レンズ１５０との間の所定位置、すなわち、光の入射角が比較的小さくなる位置に誘電体多層膜からなるＵＶカットフィルタ１６４が配置されているため、ＵＶカットフィルタ１６４のフィルタ特性が低下するのを抑制することが可能となる。
【００５９】
また、上述した実施形態１に係るプロジェクタ１０００のように偏光変換素子１４０の表面（光入射面）にＵＶカットフィルタ１６０を形成する場合や、上述した実施形態２に係るプロジェクタ１００２のように第２レンズアレイ１３０の表面（光射出面）にＵＶカットフィルタ１６２を形成する場合には、誘電体多層膜を積層する際に仮に失敗すると、比較的高価な部品である偏光変換素子１４０や第２レンズアレイ１３０の不良とされるため、プロジェクタ１０００，１００２の製造コストの低廉化を図ることが容易ではなくなる。
これに対し、実施形態３に係るプロジェクタ１００４によれば、基板１７０の表面（光入射面）にＵＶカットフィルタ１６４を形成するため、誘電体多層膜を積層する際に仮に失敗したとしても、比較的安価な部品である基板１７０の不良とされるだけであり、結果として、プロジェクタ１００４の製造コストの低廉化を図ることが容易となる。
【００６０】
実施形態３に係るプロジェクタ１００４は、ＵＶカットフィルタの位置が異なる点以外の点では、実施形態１に係るプロジェクタ１０００と同様の構成を有するため、実施形態１に係るプロジェクタ１０００が有する効果のうち該当する効果をそのまま有する。
【００６１】
以上、本発明のプロジェクタを上記の各実施形態に基づいて説明したが、本発明は上記の各実施形態に限定されるものではなく、その要旨を逸脱しない範囲において種々の態様において実施することが可能であり、例えば次のような変形も可能である。
【００６２】
（１）上記各実施形態に係るプロジェクタ１０００〜１００４においては、誘電体多層膜からなる光学フィルタとして、ＵＶカットフィルタ１６０〜１６４を備える場合を例示して説明したが、本発明はこれに限定されるものではなく、ＩＲカットフィルタ、ＮＤフィルタ、色補正フィルタなどの誘電体多層膜からなる光学フィルタを備えるプロジェクタに本発明を適用することも可能である。
【００６３】
（２）上記実施形態３に係るプロジェクタ１００４においては、基板１７０の光入射面にＵＶカットフィルタ１６４が形成されている場合を説明したが、本発明はこれに限定されるものではなく、基板１７０の光射出面にＵＶカットフィルタが形成されていてもよいし、基板１７０の光入射面及び光射出面にＵＶカットフィルタが形成されていてもよい。
【００６４】
（３）上記実施形態３に係るプロジェクタ１００４においては、第２レンズアレイ１３０と偏光変換素子１４０との間に、表面にＵＶカットフィルタ１６４が形成された基板１７０が配置されている場合を説明したが、本発明はこれに限定されるものではなく、偏光変換素子１４０と重畳レンズ１５０との間に当該基板１７０が配置されていてもよい。また、上記実施形態３に係るプロジェクタ１００４においては、当該基板１７０が、第２レンズアレイ１３０及び偏光変換素子１４０からそれぞれ離隔して配置されている場合を説明したが、本発明はこれに限定されるものではなく、第２レンズアレイ１３０の光射出面に当該基板１７０が接着されていてもよいし、偏光変換素子１４０の光入射面又は光射出面に当該基板１７０が接着されていてもよいし、重畳レンズ１５０の光入射面に当該基板１７０が接着されていてもよい。
【００６５】
（４）上記各実施形態に係るプロジェクタ１０００〜１００４においては、発光管に配設される反射手段として副鏡を用いたが、本発明はこれに限定されるものではなく、反射手段として反射膜を用いることも好ましい。また、上記各実施形態に係るプロジェクタ１０００〜１００４においては、発光管に反射手段としての副鏡が配設されたプロジェクタを例示して説明しているが、本発明はこれに限定されるものではなく、副鏡が配設されていないプロジェクタに本発明を適用することも可能である。
【００６６】
（５）上記各実施形態に係るプロジェクタ１０００〜１００４においては、光源装置として、楕円面リフレクタ及び凹レンズからなる光源装置を用いたが、本発明はこれに限定されるものではなく、放物面リフレクタからなる光源装置を用いることも好ましい。
【００６７】
（６）上記各実施形態に係るプロジェクタ１０００〜１００４は透過型のプロジェクタであるが、本発明はこれに限定されるものではない。本発明は反射型のプロジェクタにも適用することが可能である。ここで、「透過型」とは、透過型の液晶装置等のように光変調手段としての電気光学変調装置が光を透過するタイプであることを意味しており、「反射型」とは、反射型の液晶装置等のように光変調手段としての電気光学変調装置が光を反射するタイプであることを意味している。反射型のプロジェクタにこの発明を適用した場合にも、透過型のプロジェクタと同様の効果を得ることができる。
【００６８】
（７）上記各実施形態に係るプロジェクタ１０００〜１００４においては、３つの液晶装置４００Ｒ，４００Ｇ，４００Ｂを用いたプロジェクタを例示して説明したが、本発明はこれに限定されるものではなく、１つ、２つ又は４つ以上の液晶装置を用いたプロジェクタにも適用可能である。
【００６９】
（８）本発明は、投写画像を観察する側から投写するフロント投写型プロジェクタに適用する場合にも、投写画像を観察する側とは反対の側から投写するリア投写型プロジェクタに適用する場合にも可能である。
【図面の簡単な説明】
【００７０】
【図１】実施形態１に係るプロジェクタ１０００の光学系を示す図。
【図２】実施形態２に係るプロジェクタ１００２の要部を示す図。
【図３】実施形態３に係るプロジェクタ１００４の要部を示す図。
【符号の説明】
【００７１】
１００，１０２，１０４…照明装置、１００ａｘ，１０２ａｘ，１０４ａｘ…照明光軸、１１０…光源装置、１１２…発光管、１１４…楕円面リフレクタ、１１６…副鏡、１１８…凹レンズ、１２０…第１レンズアレイ、１２２…第１小レンズ、１３０…第２レンズアレイ、１３２…第２小レンズ、１４０…偏光変換素子、１５０…重畳レンズ、１６０，１６２，１６４…ＵＶカットフィルタ、１７０…基板、２００…色分離導光光学系、２１０，２２０…ダイクロイックミラー、２３０，２４０，２５０…反射ミラー、２６０…入射側レンズ、２７０…リレーレンズ、３００Ｒ，３００Ｇ，３００Ｂ…集光レンズ、４００Ｒ，４００Ｇ，４００Ｂ…液晶装置、５００…クロスダイクロイックプリズム、６００…投写光学系、１０００，１００２，１００４…プロジェクタ、ＳＣＲ…スクリーン
【図１】
2008139388.tif 000003
【図２】
2008139388.tif 000004
【図３】
2008139388.tif 000005